(57)【特許請求の範囲】
【請求項１】
第１電極層、記録光の照射を受けることにより導電性を呈する記録用光導電層、読取光の照射を受けることにより導電性を呈する読取用光導電層、および第２電極層をこの順に有すると共に、前記記録用光導電層で発生した電荷を潜像電荷として蓄積する蓄電部が前記第１電極層と前記第２電極層との間に形成されて成る画像検出器を使用して、画像情報を担持する記録光を記録用光導電層に照射して該画像情報を担持する潜像電荷を前記蓄電部に蓄積させた後、前記読取光で前記読取用光導電層を走査して前記蓄電部に蓄積された潜像電荷の量に応じた電気信号を取得することにより、前記画像情報を読み取る画像情報記録読取方法において、
前記読取光を発する光源として微小光源を面状に多数並べてなる面状光源を使用し、
前記第１電極層の電極と前記第２電極層の電極との間に動画記録用電圧を印加した状態で、画像情報を担持する記録光の前記記録用光導電層への照射と、前記微小光源の順次切替え駆動による読取光の前記走査とを、交互に繰り返すことにより、前記蓄電部に蓄積された潜像電荷の量に応じた電気信号を連続的に取得する透視撮影を行うことを特徴とする画像情報記録読取方法。
【請求項２】
第１電極層、記録光の照射を受けることにより導電性を呈する記録用光導電層、読取光の照射を受けることにより導電性を呈する読取用光導電層、および第２電極層をこの順に有すると共に、前記記録用光導電層で発生した電荷を潜像電荷として蓄積する蓄電部が前記第１電極層と前記第２電極層との間に形成されて成る画像検出器を使用して、画像情報を担持する記録光を記録用光導電層に照射して該画像情報を担持する潜像電荷を前記蓄電部に蓄積させた後、前記読取光で前記読取用光導電層を走査して前記蓄電部に蓄積された潜像電荷の量に応じた電気信号を取得することにより、前記画像情報を読み取る画像情報記録読取方法において、
前記第１電極層の電極と前記第２電極層の電極との間に動画記録用電圧を印加した状態で、画像情報を担持する記録光の前記記録用光導電層への照射と、前記読取光による前記走査とを、交互に繰り返すことにより、前記蓄電部に蓄積された潜像電荷の量に応じた電気信号を連続的に取得する透視撮影を行い、
その後、前記第１電極層の電極と前記第２電極層の電極とを同電位にした状態で、前記読取用光導電層に静止画用前露光光を照射する空読みを行い、
該空読みを停止させた後、前記第１電極層の電極と前記第２電極層の電極との間に静止画記録用電圧を印加した状態で、画像情報を担持する記録光の前記記録用光導電層への照射を行なって、該画像情報を担持する潜像電荷を前記蓄電部に蓄積させ、その後、前記第１電極層の電極と前記第２電極層の電極とを同電位にした状態で、前記読取光による前記走査を行なって、前記蓄電部に蓄積された潜像電荷の量に応じた電気信号を取得する静止画撮影を行なうことを特徴とする画像情報記録読取方法。
【請求項３】
前記透視撮影における前記記録光の前記記録用光導電層への照射を、連続状または連続パルス状に行うことを特徴とする請求項１または２記載の画像情報記録読取方法。
【請求項４】
前記読取光を発する光源として微小光源を面状に多数並べてなる面状光源を使用し、該微小光源を順次切り替えて駆動することにより、前記走査を行わせることを特徴とする請求項１から３いずれか１項記載の画像情報記録読取方法。
【請求項５】
前記透視撮影における前記記録光の前記記録用光導電層への照射に先立って、前記第１電極層の電極と前記第２電極層の電極との間に前記動画記録用電圧を印加した状態で、前記記録用光導電層または読取用光導電層に動画用前露光光を照射して、略一様な電荷を前記蓄電部に蓄積させる一次帯電を行なうことを特徴とする請求項１から４いずれか１項記載の画像情報記録読取方法。
【請求項６】
前記透視撮影の画素サイズを前記静止画撮影の画素サイズよりも大きくすることを特徴とする請求項２から５いずれか１項記載の画像情報記録読取方法。
【請求項７】
前記画像検出器として、前記電気信号を取得するための線状電極がストライプ状に配列されてなるものを使用し、該線状電極の配列方向に延びたライン状の、前記静止画撮影の画素サイズよりも幅広の読取光で、該線状電極の長手方向に前記走査を行うことを特徴とする請求項６記載の画像情報記録読取方法。
【請求項８】
互いに隣接する線状電極を纏めた状態で前記電気信号を取得することを特徴とする請求項７記載の画像情報記録読取方法。
【請求項９】
第１電極層、記録光の照射を受けることにより導電性を呈する記録用光導電層、読取光の照射を受けることにより導電性を呈する読取用光導電層、および第２電極層をこの順に有すると共に、前記記録用光導電層で発生した電荷を潜像電荷として蓄積する蓄電部が前記第１電極層と前記第２電極層との間に形成されて成る画像検出器と、前記第１電極層の電極と前記第２電極層の電極との間に所定の電圧を印加する電圧印加手段と、画像情報を担持する記録光を記録用光導電層に照射する記録光照射手段と、前記読取光で前記読取用光導電層を走査する読取光走査手段と、該走査により発生する前記蓄電部に蓄積された潜像電荷の量に応じた電気信号を取得する信号取得手段とを備えた画像情報記録読取装置において、
前記読取光走査手段が、前記読取光を発する光源として微小光源を面状に多数並べてなる面状光源と、該微小光源を順次切り替えて駆動することにより前記走査を行わせる駆動手段とを有してなるものであり、
前記第１電極層の電極と前記第２電極層の電極との間に動画記録用電圧を印加した状態で、画像情報を担持する記録光の前記記録用光導電層への照射と、前記微小光源の順次切替え駆動による読取光の前記走査とを、交互に繰り返すことにより、前記蓄電部に蓄積された潜像電荷の量に応じた電気信号を連続的に取得する透視撮影を行なわせるように、前記電圧印加手段、前記記録光照射手段、前記読取光走査手段、および前記信号取得手段を制御する制御手段を備えたことを特徴とする画像情報記録読取装置。
【請求項１０】
第１電極層、記録光の照射を受けることにより導電性を呈する記録用光導電層、読取光の照射を受けることにより導電性を呈する読取用光導電層、および第２電極層をこの順に有すると共に、前記記録用光導電層で発生した電荷を潜像電荷として蓄積する蓄電部が前記第１電極層と前記第２電極層との間に形成されて成る画像検出器と、前記第１電極層の電極と前記第２電極層の電極との間に所定の電圧を印加する電圧印加手段と、画像情報を担持する記録光を記録用光導電層に照射する記録光照射手段と、前記読取光で前記読取用光導電層を走査する読取光走査手段と、該走査により発生する前記蓄電部に蓄積された潜像電荷の量に応じた電気信号を取得する信号取得手段とを備えた画像情報記録読取装置において、
前記第１電極層の電極と前記第２電極層の電極との間に動画記録用電圧を印加した状態で、画像情報を担持する記録光の前記記録用光導電層への照射と、前記読取光による前記走査とを、交互に繰り返すことにより、前記蓄電部に蓄積された潜像電荷の量に応じた電気信号を連続的に取得する透視撮影を行わせ、その後、前記第１電極層の電極と前記第２電極層の電極とを同電位にした状態で、前記読取用光導電層に静止画用前露光光を照射する空読みを行わせ、該空読みを停止させた後、前記第１電極層の電極と前記第２電極層の電極との間に静止画記録用電圧を印加した状態で、画像情報を担持する記録光の前記記録用光導電層への照射を行なって、該画像情報を担持する潜像電荷を前記蓄電部に蓄積させ、その後、前記第１電極層の電極と前記第２電極層の電極とを同電位にした状態で、前記読取光による前記走査を行なって、前記蓄電部に蓄積された潜像電荷の量に応じた電気信号を取得する静止画撮影を行なわせるように、電圧印加手段、記録光照射手段、読取光走査手段、および信号取得手段を制御する制御手段を備えたことを特徴とする画像情報記録読取装置。
【請求項１１】
前記記録光照射手段が、前記透視撮影における前記記録光の前記記録用光導電層への照射を、連続状または連続パルス状に行うものであることを特徴とする請求項９または１０記載の画像情報記録読取装置。
【請求項１２】
前記読取光走査手段が、前記読取光を発する光源として微小光源を面状に多数並べてなる面状光源と、該微小光源を順次切り替えて駆動することにより前記走査を行わせる駆動手段とを有してなるものであることを特徴とする請求項９から１１いずれか１項記載の画像情報記録読取装置。
【請求項１３】
前記記録用光導電層または読取用光導電層に動画用前露光光を照射して、略一様な電荷を前記蓄電部に蓄積させる一次帯電を行なう手段を備え、
前記制御手段が、前記透視撮影における前記記録光の前記記録用光導電層への照射に先立って、前記第１電極層の電極と前記第２電極層の電極との間に前記動画記録用電圧を印加した状態で、前記一次帯電が行われるように前記一次帯電を行なう手段を制御するものであることを特徴とする請求項９から１２いずれか１項記載の画像情報記録読取装置。
【請求項１４】
前記制御手段が、前記透視撮影の画素サイズを前記静止画撮影の画素サイズよりも大きくさせるものであることを特徴とする請求項１０から１３いずれか１項記載の画像情報記録読取装置。
【請求項１５】
前記画像検出器が、前記電気信号を取得するための線状電極がストライプ状に配列されてなるものであり、
前記読取光走査手段が、前記線状電極の配列方向に延びたライン状の、前記静止画撮影の画素サイズよりも幅広の読取光で、該線状電極の長手方向に前記走査を行うものであることを特徴とする請求項１４記載の画像情報記録読取装置。
【請求項１６】
前記信号取得手段が、互いに隣接する線状電極を纏めた状態で前記電気信号を取得するものであることを特徴とする請求項１５記載の画像情報記録読取装置。
【発明の詳細な説明】
【０００１】
【発明の属する技術分野】
本発明は、画像検出器、特に記録用光導電層および読取用光導電層を有してなる画像検出器に画像情報を静電潜像として記録し、この記録した静電潜像を読み取る画像情報記録読取方法および装置に関するものである。
【０００２】
【従来の技術】
従来より、画像検出器を用いた装置、例えばファクシミリ、複写機或いは放射線撮像装置などが知られている。
【０００３】
例えば、医療用Ｘ線撮影などにおいて、被験者の受ける被爆線量の減少、診断性能の向上等のために、Ｘ線に感応する例えばａ−Ｓｅ（アモルファスセレン）から成るセレン板等の光導電体を有する静電記録体（感光体、放射線固体検出器）を画像検出器として使用し、この静電記録体に画像情報を担持するＸ線などの記録光を照射して、画像情報を担持する潜像電荷を静電記録体の蓄電部に蓄積させ、その後レーザビームなどの読取光（読取用の電磁波）で静電記録体を走査することにより該静電記録体内に生じる電流を該静電記録体両側の平板電極或いはクシ電極を介して検出することにより、潜像電荷が担持する静電潜像、すなわち記録された画像情報を読み取るシステムが知られている。
【０００４】
ここで、静電記録体への画像情報の記録と、記録された画像情報を読み取るプロセスは、静電記録体の層構成によって異なるものである。例えば、両端の電極、その内部に配設された、記録用光導電層および読取用光導電層、を有してなるものを使用する場合には、両端電極に記録用電圧が印加された状態で記録光を記録用光導電層に照射して、静電潜像を静電記録体の蓄電部に形成し、その後、静電記録体の両端電極を短絡して同電位にし、さらに、読取光に対して透過性を有する電極（以下読取光側電極という）を介して読取光で読取用光導電層を走査し、読取光側電極と読取用光導電層との界面で発生する電子とホールのペア（電荷対）による光誘起放電によって生じる電流を電圧信号に変換することにより、静電潜像の電気的読取りを行う。この場合、前記静電潜像の読取時、像の暗部では電流が流れず、像の明部ほど大きな電流が流れる。なお、このように、記録後に静電記録体の両端電極を短絡した後に読取りを行う系をショート読出しの系といい、また、像の明部ほど大きな電流が流れる系をポジ型の系という。
【０００５】
このようなショート読出しの系且つポジ型の系に使用される静電記録体の具体的な層構成としては、例えば、第１導電体層（記録光側電極層；以下同様）／記録用光導電層／蓄電部としてのトラップ層／読取用光導電層／第２導電体層（読取光側電極層；以下同様）からなるもの（米国特許第４５３５４６８号など）ものがある。
【０００６】
また、本願出願人は、ポジ型の静電記録体として、記録用の放射線に対して透過性を有する第１導電体層、記録用の放射線の照射を受けることにより光導電性を呈する記録用光導電層、第１導電体層に帯電される電荷と同極性の電荷に対しては略絶縁体として作用し、かつ、該同極性の電荷と逆極性の電荷に対しては略導電体として作用する電荷輸送層、読取光（読取用の電磁波）の照射を受けることにより光導電性を呈する読取用光導電層、読取光に対して透過性を有する第２導電体層を、この順に積層して成り、記録用光導電層と電荷輸送層との界面に蓄電部が形成されるものを提案している（特願平１０−２３２８２４号、同１１−８７９２２号、同１１−８９５５３号など）。
【０００７】
【発明が解決しようとする課題】
ここで、ショート読出しの系においては、両端電極をショートした直後には１ｓｅｃ程度の解放電流が持続する。この期間に静電潜像を読み取ると信号電流は解放電流に重畳されるため画質が劣化する。したがって、高画質な画像を得るには、両端電極をショートしてから１ｓｅｃ程度以上経過した後に読取りを行う必要があり、従来のショート読出しの系を、１ｓｅｃ内に複数フレームの画像を取得するという動画的な撮影に適用するのは難しく、結果として、その用途が静止画撮影に限定されてしまう。
【０００８】
一方で、静止画撮影に先立つ透視撮影によって、位置決めや撮影タイミングの確認、或いは感度条件の確認を行って、最適な撮影条件を設定し、その直後に該条件の下で、静止画撮影を行ないたいという要望がある。この場合には、静電記録体などの画像検出器としては、透視撮影および静止画撮影共に同一のものであることが時間的切替ロスがないので望ましい。
【０００９】
しかしながら、前述のように、従来のショート読出しの系では、用途が静止画撮影に限定されるので、このような要望に答えることができない。
【００１０】
本発明は上記事情に鑑みてなされたものであり、ポジ型且つショート読出しの系においても、透視撮影を行うことができる画像情報記録読取方法および装置を提供することを目的とするものである。
【００１１】
また、本発明は、透視撮影を行うことができるようにしても、透視撮影の直後に行なう静止画撮影に障害が生じないようにすることができる画像情報記録読取方法および装置を提供することを目的とするものである。
【００１２】
【課題を解決するための手段】
本発明による画像情報記録読取方法および装置は、記録用光導電層および読取用光導電層を有する画像検出器に記録用電圧を印加した状態で、記録光を記録用光導電層に照射しながら読取用光導電層を読取光で走査することにより、動画再生を行うようにしたことを特徴とするものである。
【００１３】
即ち、本発明による第１の画像情報記録読取方法は、第１電極層、記録光の照射を受けることにより導電性を呈する記録用光導電層、読取光の照射を受けることにより導電性を呈する読取用光導電層、および第２電極層をこの順に有すると共に、記録用光導電層で発生した電荷を潜像電荷として蓄積する蓄電部が第１電極層と第２電極層との間に形成されて成る画像検出器を使用して、画像情報を担持する記録光を記録用光導電層に照射して該画像情報を担持する潜像電荷を蓄電部に蓄積させた後、読取光で読取用光導電層を走査して蓄電部に蓄積された潜像電荷の量に応じた電気信号を取得することにより画像情報を読み取る画像情報記録読取方法であって、読取光を発する光源として微小光源を面状に多数並べてなる面状光源を使用し、第１電極層の電極と第２電極層の電極との間に動画記録用電圧を印加した状態で、画像情報を担持する記録光の記録用光導電層への照射と、微小光源の順次切替え駆動による読取光の読取用光導電層への走査とを、交互に繰り返すことにより、蓄電部に蓄積された潜像電荷の量に応じた電気信号を連続的に取得する透視撮影を行うことを特徴とするものである。
【００１４】
本発明による第２の画像情報記録読取方法は、透視撮影を行うことができるようにしても、透視撮影の直後に行なう静止画撮影に障害が生じないようにするもの、即ち、第１電極層、記録光の照射を受けることにより導電性を呈する記録用光導電層、読取光の照射を受けることにより導電性を呈する読取用光導電層、および第２電極層をこの順に有すると共に、記録用光導電層で発生した電荷を潜像電荷として蓄積する蓄電部が第１電極層と第２電極層との間に形成されて成る画像検出器を使用して、画像情報を担持する記録光を記録用光導電層に照射して該画像情報を担持する潜像電荷を蓄電部に蓄積させた後、読取光で読取用光導電層を走査して蓄電部に蓄積された潜像電荷の量に応じた電気信号を取得することにより画像情報を読み取る画像情報記録読取方法であって、
第１電極層の電極と第２電極層の電極との間に動画記録用電圧を印加した状態で、画像情報を担持する記録光の記録用光導電層への照射と、読取光による読取用光導電層への走査とを、交互に繰り返すことにより、蓄電部に蓄積された潜像電荷の量に応じた電気信号を連続的に取得する透視撮影を行い、
その後、第１電極層の電極と第２電極層の電極とを同電位にした状態で、読取用光導電層に静止画用前露光光を照射する空読みを行い、
該空読みを停止させた後、第１電極層の電極と第２電極層の電極との間に静止画記録用電圧を印加した状態で、画像情報を担持する記録光の記録用光導電層への照射を行なって、該画像情報を担持する潜像電荷を蓄電部に蓄積させ、その後、第１電極層の電極と第２電極層の電極とを同電位にした状態で、読取光による読取用光導電層への走査を行なって、蓄電部に蓄積された潜像電荷の量に応じた電気信号を取得する静止画撮影を行なうことを特徴とするものである。
【００１５】
上記第１および第２の画像情報記録読取方法において、「画像情報を担持する記録光の記録用光導電層への照射と、読取光による走査とを、交互に繰り返す」とは、記録光を記録用光導電層に連続パルス状に照射し、このパルス状の記録光に同期して、記録光の照射停止時に、読取光で読取用光導電層を走査することだけでなく、記録光を記録用光導電層に連続状に照射し続けたままで、読取光で読取用光導電層を複数画面分だけ繰り返し走査することも含むものとする。
【００１６】
上記第１および第２の画像情報記録読取方法においては、読取光を発する光源として微小光源を面状に多数並べてなる面状光源を使用し、該微小光源を順次切り替えて駆動することにより、前記走査を行わせるようにするのが望ましい。
【００１７】
また、上記第１および第２の画像情報記録読取方法においては、透視撮影における記録光の記録用光導電層への照射に先立って、第１電極層の電極と第２電極層の電極との間に動画記録用電圧を印加した状態で、記録用光導電層または読取用光導電層に動画用前露光光を照射して、略一様な電荷を蓄電部に蓄積させる一次帯電を行なうのが望ましい。
【００１８】
さらに、上記第１および第２の画像情報記録読取方法においては、透視撮影の画素サイズを静止画撮影の画素サイズよりも大きくするのが望ましい。
【００１９】
ここで、画素サイズを大きくするに際しては、静止画と同じようにして読み取った後に、画像データ処理によって画素サイズ変更を行ってもよいが、読取光の照射サイズを主走査および副走査方向共に拡大して、複数画素分を纏めて読むようにした方が、読取りスピードを高速化できるので望ましい。
【００２０】
例えば、画像検出器として、電気信号を取得するための線状電極がストライプ状に配列されてなるものを使用する場合には、該線状電極の配列方向に延びたライン状の、静止画撮影の画素サイズよりも幅広の読取光で、該線状電極の長手方向に前記走査を行うことにより前記長手方向（通常は副走査方向に相当）の画素サイズを拡大できる。また、この場合、互いに隣接する線状電極を纏めた状態で電気信号を取得することによって、線状電極の配列方向（通常は主走査方向に相当）の画素サイズを拡大できる。
【００２１】
本発明による第１の画像情報記録読取装置は、上記第１の画像情報記録読取方法を実現する装置、即ち、第１電極層、記録光の照射を受けることにより導電性を呈する記録用光導電層、読取光の照射を受けることにより導電性を呈する読取用光導電層、および第２電極層をこの順に有すると共に、記録用光導電層で発生した電荷を潜像電荷として蓄積する蓄電部が第１電極層と第２電極層との間に形成されて成る画像検出器と、第１電極層の電極と第２電極層の電極との間に所定の電圧を印加する電圧印加手段と、画像情報を担持する記録光を記録用光導電層に照射する記録光照射手段と、読取光で読取用光導電層を走査する読取光走査手段と、該走査により発生する蓄電部に蓄積された潜像電荷の量に応じた電気信号を取得する信号取得手段とを備えた画像情報記録読取装置であって、
読取光走査手段が、読取光を発する光源として微小光源を面状に多数並べてなる面状光源と、該微小光源を順次切り替えて駆動することにより前記走査を行わせる駆動手段とを有してなるものであり、
第１電極層の電極と第２電極層の電極との間に動画記録用電圧を印加した状態で、画像情報を担持する記録光の記録用光導電層への照射と、微小光源の順次切替え駆動による読取光の前記走査とを、交互に繰り返すことにより、蓄電部に蓄積された潜像電荷の量に応じた電気信号を連続的に取得する透視撮影を行なわせるように、電圧印加手段、記録光照射手段、読取光走査手段、および信号取得手段を制御する制御手段を備えたことを特徴とするものである。
【００２２】
また、本発明による第２の画像情報記録読取装置は、上記第２の画像情報記録読取方法を実現する装置、即ち、第１電極層、記録光の照射を受けることにより導電性を呈する記録用光導電層、読取光の照射を受けることにより導電性を呈する読取用光導電層、および第２電極層をこの順に有すると共に、記録用光導電層で発生した電荷を潜像電荷として蓄積する蓄電部が第１電極層と第２電極層との間に形成されて成る画像検出器と、第１電極層の電極と第２電極層の電極との間に所定の電圧を印加する電圧印加手段と、画像情報を担持する記録光を記録用光導電層に照射する記録光照射手段と、読取光で読取用光導電層を走査する読取光走査手段と、該走査により発生する蓄電部に蓄積された潜像電荷の量に応じた電気信号を取得する信号取得手段とを備えた画像情報記録読取装置であって、
第１電極層の電極と第２電極層の電極との間に動画記録用電圧を印加した状態で、画像情報を担持する記録光の記録用光導電層への照射と、読取光による前記走査とを、交互に繰り返すことにより、蓄電部に蓄積された潜像電荷の量に応じた電気信号を連続的に取得する透視撮影を行わせ、その後、第１電極層の電極と第２電極層の電極とを同電位にした状態で、読取用光導電層に静止画用前露光光を照射する空読みを行わせ、該空読みを停止させた後、第１電極層の電極と第２電極層の電極との間に静止画記録用電圧を印加した状態で、画像情報を担持する記録光の記録用光導電層への照射を行なって、該画像情報を担持する潜像電荷を蓄電部に蓄積させ、その後、第１電極層の電極と第２電極層の電極とを同電位にした状態で、読取光による前記走査を行なって、蓄電部に蓄積された潜像電荷の量に応じた電気信号を取得する静止画撮影を行なわせるように、電圧印加手段、記録光照射手段、読取光走査手段、および信号取得手段を制御する制御手段を備えたことを特徴とするものである。
【００２３】
本発明による第１および第２の画像情報記録読取装置の記録光照射手段は、透視撮影における記録光の記録用光導電層への照射を、連続状に行うものであってもよいし、或いは連続パルス状に行うものであってもよい。
【００２４】
本発明による第１および第２の画像情報記録読取装置においては、読取光走査手段を、読取光を発する光源として微小光源を面状に多数並べてなる面状光源と、該微小光源を順次切り替えて駆動することにより前記走査を行わせる駆動手段とを有してなるものとするのが望ましい。
【００２５】
また、本発明による第１および第２の画像情報記録読取装置においては、記録用光導電層または読取用光導電層に動画用前露光光を照射して、略一様な電荷を蓄電部に蓄積させる一次帯電を行なう手段を備えたものとし、
制御手段を、透視撮影における記録光の記録用光導電層への照射に先立って、第１電極層の電極と第２電極層の電極との間に動画記録用電圧を印加した状態で、一次帯電が行われるように一次帯電を行なう手段を制御するものとするのが望ましい。
【００２６】
さらに、本発明による第１および第２の画像情報記録読取装置においては、制御手段を、透視撮影の画素サイズを静止画撮影の画素サイズよりも大きくさせるものとするのが望ましい。
【００２７】
この場合、例えば、画像検出器を、電気信号を取得するための線状電極がストライプ状に配列されてなるものとし、読取光走査手段を、線状電極の配列方向に延びたライン状の、静止画撮影の画素サイズよりも幅広の読取光で、該線状電極の長手方向に前記走査を行うものとするのが望ましい。また、信号取得手段を、互いに隣接する線状電極を纏めた状態で電気信号を取得するものとするのが望ましい。
【００２８】
【発明の効果】
本発明による画像情報記録読取方法および装置は、上述のように、画像検出器に記録用電圧を印加した状態で、記録光を記録用光導電層に照射しながら読取用光導電層を読取光で走査するようにしたものである。ここで、蓄電部に静止画記録時と反対極性の電荷が蓄積された状態で記録光を記録用光導電層に照射すると、記録用光導電層内で発生した電荷によって蓄電部に蓄積された電荷が放電される。この放電の後、読取光で読取用光導電層を走査すると、この放電電荷量を補うように充電が行われる。放電電荷量は、記録光の照射量に応じたものとなるので、充電時の充電電荷量に応じた信号を読み取ることにより、画像を再生することができるようになる。そして、これを繰り返すことによって、透視撮影を行なうことができるようになる。
【００２９】
この読取光を発する光源として微小光源を面状に多数並べてなる面状光源を使用し、微小光源の順次切替え駆動によって読取光の読取用光導電層への走査を行なうようにすれば、透視撮影時（静止画撮影時も同じ）の読取光の走査を、電気的走査によって行うことができ、光源から発せられた光を機械的に走査するのに比べて、高速走査を行いやすくなるので、透視撮影を実現しやすく、また装置も小型にできる。
【００３０】
また、この透視撮影時には、画素サイズを静止画撮影時のものよりも大きくすることにより、再生画像のＳ／Ｎを向上させたり読取りスピードをより高速にすることができる。
【００３１】
さらに、透視撮影の後空読みを行ってから静止画撮影を行なうようにすれば、透視撮影終了後の蓄電部に蓄積されている不要な電荷を放出させることができるので、静止画像に透視撮影時の画像が残像として現れることもない。
【００３２】
【発明の実施の形態】
以下、図面を参照して本発明の実施の形態について詳細に説明する。図１は本発明による画像情報記録読取方法および装置を適用した、放射線画像記録読取装置の概略図である。
【００３３】
図１に示すように、この放射線画像記録読取装置１は、画像検出器としての放射線固体検出器（以下単に検出器とも言う）１０と、検出器１０に積層された面状光源３０と面状光源３０を制御する駆動手段としての光源制御手段４０とからなる読取光走査手段４９および検出器１０から潜像電荷を読み出す信号取得手段としての電流検出回路５０とを有する読取部２０と、記録光照射手段としての放射線照射部６０とを備えてている。これらは、本発明を適用しない従来の装置が有するものと同様のものである。本発明を適用した装置１は、更に読取光走査手段４９、電流検出回路５０、および放射線照射部６０と接続された制御手段７０を有している。
【００３４】
検出器１０は、特願平１０−２３２８２４号に記載した改良型直接変換方式（直接変換且つ光読出方式）の静電記録体であって、被写体を透過した記録用の放射線（例えば、Ｘ線等；以下記録放射線という）が第１電極層（導電体層）１１に照射されることにより記録用光導電層１２内に電荷が発生し、この発生した電荷を記録用光導電層１２と電荷輸送層１３との界面である蓄電部１９に潜像電荷として蓄積し、第２電極層１５を介して読取光（読取用の電磁波）で読取用光導電層１４が走査されることにより該読取用光導電層１４内に電荷が発生し前記潜像電荷と電荷再結合して潜像電荷の量に応じた電流を発生するものである。読取用電極層としての第２電極層１５は、多数の線状電極（図中の斜線部）がストライプ状に配列されて成るものである。以下第２電極層１５の電極をストライプ電極１６といい、各線状電極をエレメント１６ａという。
【００３５】
面状光源３０は、導電層３１，ＥＬ層３２，導電層３３から成るＥＬ発光体であり、上述のように検出器１０に積層されている。ＥＬ層３２は、有機ＥＬおよび無機ＥＬのいずれであってもよい。検出器１０のストライプ電極１５と導電層３１との間には絶縁層３４が設けられている。導電層３１は、多数のエレメント（図中の斜線部）３１ａがストライプ状に配列されて成るものであり、各エレメント３１ａは、検出器１０のストライプ電極１６の各エレメント１６ａと交差（本例では略直交）するように配列されており、これにより、エレメント３１ａによるライン状の光源が面状に多数配列するように構成される。各エレメント３１ａは光源制御手段４０に接続されている。
【００３６】
光源制御手段４０は、エレメント３１ａとそれに対向する導電層３３との間に所定の電圧を印加するものであり、読取時にはエレメント３１ａに個別に電圧を印加し、前露光時には複数または全てのエレメント３１ａに同時に電圧を印加するものである。例えば、エレメント３１ａを順次切り替えながら、夫々のエレメント３１ａと導電層３３との間に所定の直流電圧を印加すると、エレメント３１ａと導電層３３とに挟まれたＥＬ層３２からＥＬ光が発せられ、エレメント３１ａを透過したＥＬ光はライン状の読取光（以下ライン光という）として利用される。すなわち、面状光源３０としては、ライン状の微小光源を面状に多数配列したものと等価となり、ストライプ電極１６の長手方向の一方の端から他方の端までの全部についてエレメント３１ａをストライプ電極１６の長手方向に順次切り替えてＥＬ発光させることにより、ライン光でストライプ電極１６の全面を電気的に走査することになる。なお、エレメント１６ａの長手方向が副走査方向に対応し、ライン光の延びる方向が主走査方向に対応する。
【００３７】
一方、複数または全てのエレメント３１ａに同時に電圧を印加すると、この電圧の印加によりＥＬ層３２からストライプ電極１６の全面に亘って略一様にＥＬ光が発せられ、このＥＬ光が前露光光として利用される。
【００３８】
つまり、面状光源３０は、読取光を発する光源としてだけでなく、前露光光を発する光源としても機能するように構成されている。
【００３９】
光源制御手段４０には、制御信号Ｃ１が入力されるようになっており、制御信号Ｃ１がＬ（ロー）のときには静止画用前露光光や動画用前露光光としてのＥＬ光を発する前露光モード、Ｈ（ハイ）のときには読取光としてのＥＬ光を発する読取光モードとなる。制御信号Ｃ１がハイインピーダンス状態のときには面状光源３０からはＥＬ光が発せられない。
【００４０】
電流検出回路５０は、ストライプ電極１６の各エレメント１６ａ毎に、反転入力端子に接続された電流検出アンプ５１を多数有している。検出器１０の第１電極層１１はスイッチ５２の一方の入力および電源５３の負極に接続されており、電源５３の正極はスイッチ５２の他方の入力に接続されている。スイッチ５２および電源５３とにより、本発明による電圧印加手段が構成される。
【００４１】
スイッチ５２の出力は各電流検出アンプ５１を構成する不図示のオペアンプの非反転入力端子に共通に接続されている。面状光源３０から読取光としてのライン光がストライプ電極１６側に照射（走査露光）されることにより、各電流検出アンプ５１は、各エレメント１６ａに流れる電流を、接続された各エレメント１６ａについて同時（並列的）に検出する。
【００４２】
なお、電流検出アンプ５１の構成の詳細については、本発明の要旨に関係がないのでここでは詳細な説明を省略するが、周知の構成を種々適用することが可能である（例えば、後述する図７を参照）。電流検出アンプ５１の構成によっては、スイッチ５２および電源５３並びに各エレメント１６ａとの接続態様が上記とは異なるものとなるのは勿論である。
【００４３】
放射線照射部６０は、放射線Ｒを発する放射線源６１、放射線源６１を駆動する電力を発生する高電圧発生器６２、高電圧発生器６２と接続された撮影をコントロールするスイッチ６３とからなる。スイッチ６３は、スイッチ６３ａ，６３ｂから成る２段スイッチとなっており、スイッチ６３ａがオンしなければスイッチ６３ｂはオンしないように構成されている。
【００４４】
制御手段７０には、透視モード設定のための信号Ｓ８が入力されるように構成されている。なお、後述する各種の作用が所定のタイミングで自動的に行われるようにするために、制御手段７０には、スイッチ６３ａ，６３ｂからの信号Ｓ１，Ｓ２と、高電圧発生器６２からのスタンバイ信号Ｓ４、記録放射線の照射終了を示す照射終了信号Ｓ５および設定された記録放射線の照射時間を示す信号Ｓ６と、光源制御手段４０からの前露光光の照射が終了したことを示す照射終了信号Ｓ７が夫々入力され、また制御手段７０からは、光源制御手段４０、スイッチ５２、高電圧発生器６２、電流検出回路５０に向けて、夫々対応する制御信号Ｃ１，Ｃ２，Ｃ３，Ｃ４が出力されるようにするのが望ましい。
【００４５】
制御信号Ｃ２がＨのときにはスイッチ５２が電源５３側に切り換えられ、検出器１０（詳しくは第１電極層１１の電極とストライプ電極１６との間）に電源５３から直流電圧が印加される。一方制御信号Ｃ２がＬのときには、スイッチ５２は第１電極層１１側に切り換えられ、電流検出アンプ５１を構成する不図示のオペアンプのイマジナリーショートを介して第１電極層１１の電極とストライプ電極１６とが実質的にショートされ、両電極が同電位にされる。また制御信号Ｃ２がハイインピーダンス状態のときにはスイッチ５２は中点に設定され、電源５３の正極はフローティング状態となり、検出器１０への電圧印加が行われないし両電極が同電位にされることもない。高電圧発生器６２は、制御信号Ｃ３としてＨが入力されたときには高圧ＨＶを放射線源６１に供給し、放射線源６１から放射線Ｒを発生させる。
【００４６】
以下、上記構成の放射線画像撮影読取装置１の作用について、図２〜図６に示すタイミングチャートを参照して説明する。なお、タイミングチャートにおいて、ハイレベル期間が、検出器に電圧が印加されたり光（前露光光、記録放射線、読取光）が照射されるアクティブな期間であり、ローレベル期間（基準レベル期間）がその反対のインアクティブな期間である。なお、図３および図４の空電圧印加については、基準レベルよりもレベルが低い負（−）電圧期間もアクティブな期間である。
【００４７】
この本発明を適用した装置１において静電潜像を検出器１０に記録するに際しては、検出器１０への記録用電圧の印加開始の前に、前露光光や同時露光光の照射開始および照射停止の制御並びに第１電極層１１の電極とストライプ電極１６との間への空電圧の印加開始および印加停止の制御が加わる点が従来の装置と異なる。以下、詳細に説明する。
【００４８】
図２は、装置１の第１の作用を説明するタイミングチャートである。この第１の作用は、記録放射線Ｑを連続状に記録用光導電層１２に照射した状態で読取用光導電層１４へのライン光の走査を繰り返す透視モードを行ない、その後、空読みを行った（空読みモード）後に静電潜像の記録を行う（静止画モード）ようにしたものである。
【００４９】
透視モードを示す信号Ｓ８が制御手段７０に入力されたときには、動画用前露光光の照射開始を制御する動画用前露光開始制御に際して、先ず検出器１０内の読取用光導電層１４で発生した電荷を蓄電部１９に蓄積させることができるように、制御手段７０はスイッチ５２に入力される制御信号Ｃ２をＨにしてスイッチ５２を電源５３側に切り換えて第１電極層１１の電極とストライプ電極１６との間に電源５３から動画記録用電圧としての所定の大きさの直流電圧を印加して、両電極１１，１６を帯電させる。
【００５０】
次に、光源制御手段４０に入力される制御信号Ｃ１をＬ（動画用前露光モード）にして、面状光源３０に動画用前露光光としてのＥＬ光を発光させて、読取用光導電層１４の全面に動画用前露光光を照射させる。すると、検出器１０の読取用光導電層１４内で、動画用前露光光による光導電効果により光量に応じて正負の電荷対が発生し、その内の正電荷が所定の電界分布に沿って記録用光導電層１２と電荷輸送層１３との界面である蓄電部１９に蓄積される一方、光導電層１４に生じた負電荷は電源５３からストライプ電極１６に注入される正電荷と電荷再結合し消滅する。この蓄電部１９に蓄積される正電荷は、後述する静止画モード時に蓄積される電荷とは反対極性のものである。また、蓄電部１９に蓄積される蓄積電荷量は、動画用前露光光の光量に応じたものであり、ここでは読取用光導電層１４の全面に亘って略一様にＥＬ光が発せられるので、略一様な電荷が蓄電部１９に蓄積される。これにより、検出器１０への一次帯電が完了する。
【００５１】
なお、動画記録用電圧の印加開始と動画用前露光光の照射開始とは、この例に限らず、上記とは逆に、両者が相前後した態様であってもかまわない。
【００５２】
次に、この一次帯電を停止するべく、光源制御手段４０に入力される制御信号Ｃ１をハイインピーダンス状態として、面状光源３０からのＥＬ光の発光を停止させる。
【００５３】
このようにして動画用前露光光の照射を停止した後、第１電極層１１の電極とストライプ電極１６との間に動画記録用電圧を印加した状態のままで、高電圧発生器６２から高圧ＨＶを放射線源６１に供給させ、放射線源６１から放射線Ｒを照射させる。この放射線Ｒを被写体６５に爆射し、被写体６５を透過した被写体６５の放射線画像情報を担持する記録放射線Ｑを検出器１０の記録用光導電層１２に照射する。なお、透視モード全体の総線量が許容被爆線量を越えないように、１画像（フレーム）当たりの線量を少なくする。
【００５４】
記録放射線Ｑの照射により、記録用光導電層１２内で、記録放射線Ｑによる光導電効果により線量に応じて正負の電荷対が発生し、その内の負電荷がストライプ電極１６の各エレメント１６ａによる所定の電界分布に沿って集中せしめられ、記録用光導電層１２と電荷輸送層１３との界面である蓄電部１９まで移動する。蓄電部１９には前述の一次帯電によって所定量の正電荷が蓄積されているので、移動してきた負電荷は正電荷と電荷再結合し消滅（放電）する。一方、記録用光導電層１２内で発生する正電荷は第１電極層１１に引き寄せられて、電源５３から注入された負電荷と電荷再結合し消滅する。
【００５５】
透視モードにおいて検出器１０から静電潜像を読み取る際には、第１電極層１１の電極とストライプ電極１６との間に動画記録用電圧を印加し且つ記録放射線Ｑを検出器１０に照射した状態のままで、制御信号Ｃ１をＨ（読取光モード）にして、光源制御手段４０により、エレメント３１ａを順次切り替えながら、夫々のエレメント３１ａと導電層３３との間に所定の直流電圧を印加して、ＥＬ層３２から発せられるライン光で読取用光導電層１４の全面を電気的に走査する。
【００５６】
このライン光による走査により副走査位置に対応するライン光が入射した光導電層１４内に正負の電荷対が発生し、その内の正電荷が電荷輸送層１３を通り蓄電部１９まで移動して、記録放射線Ｑにより消滅した正電荷を補うようになる。
【００５７】
一方、読取用光導電層１４に生じた負電荷は電源５３からストライプ電極１６に注入される正電荷と電荷再結合し消滅する。
【００５８】
記録用光導電層１２には記録放射線Ｑが照射されており、電気的走査におけるライン光の照射が終了した部分では、このライン光の照射により充電した正電荷が放射線Ｑの線量に応じて再び消滅（放電）される。そして、放電された電荷量は次のライン光の走査により再びそれと同量だけ再充電される。即ち放電電荷の総量は次の走査時の充電電荷の総和に等しく、これを繰り返すようになる。各エレメント１６ａには電流検出アンプ５１が接続されおり、ライン光の走査毎に充電電荷の量を電圧信号に変換して検出する。
【００５９】
ここで、蓄電部１９で消滅する正電荷の量は照射放射線量に略比例し、ライン光の走査時にはこの消滅した正電荷の量を補うように充電されるので、記録放射線Ｑの照射により消滅する正電荷の量が透視モードにおける画像を担持し、これを繰り返すことにより、動画像を再生することができるようになる。
【００６０】
この透視モードにおけるプロセスは、ＴＶ撮像管がその光電面に結像された光学像を潜像として蓄積し、その潜像を電子ビーム走査によって読み出す場合と同様であり、ライン光が同じ走査位置をよぎるまでの期間が１フレーム分Ｔｆに相当する。
【００６１】
なお、上述の説明から判るように、記録放射線Ｑの照射に先立って動画用前露光光を照射しておくのは、１枚目（第１フレーム目）の画像を適正且つ確実に再生することができるようにするためであり、これを必要としない場合には、動画用前露光光の照射を行わなくてもよい。
【００６２】
また、この透視モードにおける動画像の読取りに際しては、再生画像のＳ／Ｎ向上を図るために、画素サイズを後述する静止画撮影時の画素サイズよりも大きくするのが望ましい。
【００６３】
ここで、画素サイズを大きくする方法としては、各画素の画像信号を取得した後に、データ処理によって画素サイズを変更するという方法もあるが、読取りの画素サイズ自体を大きくする方が読取りスピードを高速にすることができるので望ましい。例えば、上述の実施の形態では、副走査方向については、ライン光の副走査方向の幅を複数ライン分とし且つ走査速度をそれに応じて高速化するとよい。
【００６４】
また主走査方向については、互いに隣接する複数のエレメント１６ａを纏めて１つの電流検出アンプ５１に接続したり、この複数のエレメント１６ａ分の電流検出アンプ５１の出力信号を加算したりして、複数画素分の信号を１つにするとよい。
【００６５】
透視モードを終了した後、空読みと静電潜像の記録を引き続き行う。具体的には以下のようにする。
【００６６】
空読み用の前露光光の照射開始を制御する前露光開始制御に際して、先ず、制御手段７０はスイッチ５２に入力される制御信号Ｃ２をＬとする。これによりスイッチ５２が第１電極層１１側に切り換えられ、第１電極層１１の電極とストライプ電極１６とが実質的にショートされ、両電極が同電位にされる。次に、光源制御手段４０に入力される制御信号Ｃ１をＬ（前露光モード）にして、面状光源３０に前露光光としてのＥＬ光を発光させて、読取用光導電層１４に前露光光を照射する空読みを行わさせる。
【００６７】
次に、この空読みを停止するべく、光源制御手段４０に入力される制御信号Ｃ１をハイインピーダンス状態として、面状光源３０からのＥＬ光の発光を停止させる。
【００６８】
このようにして空読みを停止した後、第１電極層１１の電極とストライプ電極１６との間に静止画記録用電圧を印加した状態で第１電極層１１に記録用の放射線Ｑを照射して、検出器１０に静電潜像の記録を行う。具体的には、先ず検出器１０内の記録用光導電層１２で発生した電荷を蓄電部１９に蓄積させることができるように、スイッチ５２を電源５３側に切り換えて第１電極層１１の電極とストライプ電極１６との間に電源５３から記録用電圧としての所定の大きさの直流電圧を印加して、両者を帯電させる。なお、静止画記録用電圧は動画記録用電圧と同じであってもよいし違っていてもよい。また、静止画記録用電圧の印加は、前露光光の光導電層への照射が完全に停止した後に限らず、前露光光の照射と静止画記録用電圧の印加とが多少オーバーラップしてもかまわない。
【００６９】
この静止画記録用電圧の印加の後、高電圧発生器６２から高圧ＨＶを放射線源６１に供給させ、放射線源６１から放射線Ｒを照射させる。この放射線Ｒを被写体６５に爆射し、被写体６５を透過した被写体６５の放射線画像情報を担持する記録放射線Ｑを設定された照射時間だけ記録用光導電層１２に照射する。すると、記録用光導電層１２内で正負の電荷対が発生し、その内の負電荷が所定の電界分布に沿ってストライプ電極１６の各エレメント１６ａに集中せしめられ、記録用光導電層１２と電荷輸送層１３との界面である蓄電部１９に潜像電荷として蓄積される。潜像電荷の量は照射放射線量に略比例するので、この潜像電荷が静電潜像（静止画）を担持することとなる。一方、記録用光導電層１２内で発生する正電荷は第１電極層１１に引き寄せられて、電源５３から注入された負電荷と電荷再結合し消滅する。
【００７０】
次に、検出器１０から静電潜像を読み取る際には、先ず制御信号Ｃ１をＨ（読取光モード）にし、スイッチ５２を検出器１０の第１電極層１１側に接続して、光源制御手段４０により、エレメント３１ａを順次切り替えながら、夫々のエレメント３１ａと導電層３３との間に所定の直流電圧を印加して、ＥＬ層３２から発せられるライン光で読取用光導電層１４の全面を電気的に走査する。
【００７１】
このライン光による走査により副走査位置に対応するライン光が入射した読取用光導電層１４内に正負の電荷対が発生し、その内の正電荷が蓄電部１９に蓄積された負電荷（潜像電荷）に引きつけられるように電荷輸送層１３内を急速に移動し、蓄電部１９で潜像電荷と電荷再結合し消滅する。一方、読取用光導電層１４に生じた負電荷は電源５３からストライプ電極１６に注入される正電荷と電荷再結合し消滅する。このようにして、検出器１０の蓄電部１９に蓄積されていた負電荷が電荷再結合により消滅し、この電荷再結合の際の電荷の移動による電流が検出器１０内に生じる。この電流を各エレメント１６ａ毎に接続された各電流検出アンプ５１が同時に検出する。読取りの際に検出器１０内を流れる電流は、潜像電荷すなわち静電潜像に応じたものであるから、この電流を検出することにより静電潜像を読み取る、すなわち静電潜像（静止画）を表す画像信号を取得することができる。
【００７２】
このように、本発明による画像情報記録方法を適用した装置１によれば、透視モードにおいては、記録放射線Ｑの照射により消滅した蓄電部１９の電荷をライン光の走査により補うようにし、このときの充電電荷の量に応じた電圧信号を検出するようにしたので、ＴＶ撮像管と同様に、動画像を再生する透視撮影を行なうことができるようになる。
【００７３】
また、第１電極層１１の電極とストライプ電極１６とを同電位にした状態で読取用光導電層１４に前露光光を照射する空読みを行い、該空読みを停止した後、両電極間に記録用電圧を印加した状態で記録用の放射線Ｑを照射して静電潜像の記録を行うようにしたので、蓄電部１９に蓄積されている不要な電荷を放出させて透視撮影時の残像を低減、消滅させて、静止画撮影に障害が生じないようにすることができるようになる。
【００７４】
また、透視モードにおける画素サイズを静止画撮影時の画素サイズよりも大きくすると、動画再生時のＳ／Ｎ向上を図ることがき、さらに読取りスピードを高速にして、より動画再生に適するようにすることもできる。
【００７５】
なお、第１の作用においては、後述する図３および図４に示すタイミングの態様とは異なり、読取光の照射タイミングを記録放射線や前露光光の照射タイミングと同期を取る必要がないので制御が簡単になるというメリットがある。一方、読取光による１画面分の走査の時間（例えば１００ｍｓ程度）だけ記録放射線像が蓄積されるため、時間的にぶれた（なまった）動画像になる。
【００７６】
次に、上記構成の放射線画像撮影読取装置１の第２の作用について説明する。図３および図４は、装置１の第２の作用を説明するタイミングチャートである。
【００７７】
上述した第１の作用は、透視モード時に、記録放射線Ｑを連続状に記録用光導電層１２に照射した状態で読取用光導電層１４へのライン光の走査を繰り返すようにしたものであるが、この第２の作用は、記録放射線Ｑを連続パルス状に照射しながら、これと同期してライン光の走査を繰り返すようにしたものである。
【００７８】
つまり、図３に示すように、記録放射線Ｑの記録用光導電層１２への照射を停止た後にライン光による１画面分の走査を行い、この１画面分の走査が終了した後に記録放射線Ｑの記録用光導電層１２への照射を行ない、これを繰り返すものである。
【００７９】
第１の作用では、電気的走査におけるライン光の照射が終了した部分では、このライン光の照射により充電した正電荷が放射線Ｑの線量に応じてすぐに消滅（放電）されるが、この第２の作用では、ライン光による１画面分の全走査が終了した後に再放電される点が異なる。
【００８０】
なお、このとき、図４に示すように、記録放射線Ｑの照射およびライン光の走査を交互に繰り返すだけでなく、記録放射線Ｑの照射に先立って前露光光の照射を毎回行なうようにしてもよい。
【００８１】
この第２の作用においては、読取光と記録放射線あるいは前露光光の照射を同期をとって行なう必要があるが、記録放射線をパルス状に照射した後直ちにその分の蓄積画像を読み取ることとなるので、像がぶれのないシャープな動画像を得ることができる。また、図４のように前露光光の照射とも同期を取るようにすれば、毎回確実に初期化することになるので、図３の場合よりもさらに高画質となる。
【００８２】
以上、本発明による画像情報記録読取方法および装置を適用した放射線画像記録読取装置について説明したが、本発明は上記実施の形態に限定されるものではない。
【００８３】
例えば、上述した電気的走査による面状光源３０は、ＥＬ発光体からなるものとして説明したが、これに限らず、点状或いはライン状の微小ＬＥＤを２次元状に配列して形成したものなどであってもかまわない。
【００８４】
また、一次帯電または空読みのための前露光光用や読取光用の光源は、必ずしも上述した電気的走査による面状光源３０のみに限定されるものではなく、例えば、光ビームによって２次元状に走査（機械的走査）を行うものであってもよい。このとき、光ビームで１次元状に走査しながら、画像検出器を光源に対して相対的に移動させて、実質的に２次元状に走査するものとしてもよい。
【００８５】
また、上記実施の形態では、記録光の照射方向と前露光光や読取光の照射方向とは反対方向であるものとして説明したが、これらは同一方向であってもよい。この場合、記録用光導電層は記録光に対してのみ感応し、読取用光導電層は前露光光や読取光に対してのみ感応するものとする。
【００８６】
また、記録光は記録用光導電層を感応させることができるものであればよく、放射線に限らず可視光、赤外光、紫外光など、その他の電磁波を適用できる。同様に、読取光は読取用光導電層を感応させることができるものであればよく、可視光、赤外光、紫外光など、その他の電磁波を適用できる。
【００８７】
さらに、記録光としての放射線を受けて蛍光を発する蛍光体シートを第１電極層に貼り付けるなどしてもよい。この場合、記録用光導電層は、蛍光に感応するものであればよく、放射線に感応するものでなくともよい。
【００８８】
なお、第１電極層や第２電極層は、実施の形態に応じて、記録光、前露光光、或いは読取光に対して、透過性を有するものとするのはいうまでもない。
【００８９】
また、上記実施の形態では、記録光（記録放射線）の照射に先立つ一次帯電を、前露光光を読取用光導電層に照射することにより行うものとして説明したが、これに限らず、印加電圧の極性を反転すると共に、記録光を一次帯電用として記録用光導電層に照射することにより行ってもよい。
【００９０】
なお、本発明に使用される画像検出器は、第１電極層、記録用光導電層、読取用光導電層および第２電極層をこの順に有すると共に、第１電極層と２電極層との間に蓄電部が形成されて成る光読出方式のものであって、且つポジ型のものであれば良く、蓄電部を形成するために、例えば上記米国特許第４５３５４６８号や特願平１０−２３２８２４号などに記載のように、さらに他の層（トラップ層、絶縁層など）や微小導電部材（マイクロプレート）を積層して成るものであってもかまわない。
【図面の簡単な説明】
【図１】本発明による画像情報記録読取方法および装置を適用した、放射線画像記録読取装置の概略図
【図２】本発明を適用した放射線画像記録読取装置の第１の作用を説明すタイミングチャート
【図３】本発明を適用した放射線画像記録読取装置の第２の作用を説明すタイミングチャート
【図４】第２の作用の変更態様を説明すタイミングチャート
【符号の説明】
１    放射線画像記録読取装置
１０  放射線固体検出器（画像検出器）
２０  読取部
３０  面状光源（読取光や前露光光用の光源として機能）
４０  光源制御手段
５０  電流検出回路（信号取得手段）
６０  放射線照射部
７０  制御手段
【図１】
0003964080.tif 000002
【図２】
0003964080.tif 000003
【図３】
0003964080.tif 000004
【図４】
0003964080.tif 000005